(57)【要約】      （修正有）【課題】雨天時や日差しが強い時期でも居住者が屋上階でくつろぐことができ、屋上階の利用有効性を高めた建物を提供する。【解決手段】屋上階６を備えた建物１を、屋上階６に設けられた外部歩行領域１０と、屋上階６に設けられ、外部歩行領域１０への出入り口２１を備えたペントハウス２０と、ペントハウス２０の出入り口の上方部分に設けられ、ペントハウス２０から外方に向けて突出して外部歩行領域１０を覆う固定式日除け３０と、ペントハウス２０または固定式日除け３０に取り付けられ、外部歩行領域１０を覆う使用状態と外部歩行領域１０を覆わない不使用状態とに変更可能な可動式日除け３１と、を有する。【選択図】図３
2016169487.tif 000002
【特許請求の範囲】
【請求項１】
屋上階を備えた建物であって、
前記屋上階に設けられた外部歩行領域と、
前記屋上階に設けられ、前記外部歩行領域への出入り口を備えたペントハウスと、
前記ペントハウスの前記出入り口の上方部分に設けられ、該ペントハウスから外方に向けて突出して前記外部歩行領域を覆う固定式日除けと、
前記ペントハウスまたは前記固定式日除けに取り付けられ、前記外部歩行領域を覆う使用状態と前記外部歩行領域を覆わない不使用状態とに変更可能な可動式日除けと、を有することを特徴とする建物。
【請求項２】
前記ペントハウスが、
前記屋上階への昇降手段を内蔵する昇降用空間と、
前記昇降用空間と前記出入り口とを連ねる通路と、を有することを特徴とする請求項１に記載の建物。
【請求項３】
前記屋上階の前記外部歩行領域における床上に、前記出入り口に連ねてデッキ部材が敷設され、
前記固定式日除けおよび前記可動式日除けが、それぞれ前記デッキ部材の上方に配置されることを特徴とする請求項１または２に記載の建物。
【請求項４】
前記屋上階の前記外部歩行領域以外の部分に、太陽光利用装置が設置される太陽光利用領域を有することを特徴とする請求項１〜３の何れか１項に記載の建物。
【発明の詳細な説明】
【技術分野】
【０００１】
本発明は、屋上階を備えた建物に関し、特に、屋上階にペントハウスと外部歩行領域とが設けられたものに関する。
【背景技術】
【０００２】
従来から、屋根部分を略平坦な形状に形成し、その上に手摺等で区画した外部歩行領域を備えた屋上階を設けて屋根部分の有効利用を図った建物（住宅）が知られている。
【０００３】
このような建物では、下階と屋上階とを行き来するための屋内階段やエレベータ等の昇降手段を内蔵するペントハウスを屋上階に設け、このペントハウスに設けた出入り口から外部歩行領域へ出入りできるように構成されるのが一般的である（例えば特許文献１参照）。
【先行技術文献】
【特許文献】
【０００４】
【特許文献１】特開平２−３００４６８号公報
【発明の概要】
【発明が解決しようとする課題】
【０００５】
しかしながら、従来の建物では、ペントハウスは下階から外部歩行領域への出入り機能のみを有し、建築基準法の規制上その内部に居室のような居住空間を設けることができないものであることから、屋上階に屋根を有するくつろぎ空間を設けることができず、雨天時や日差しが強い時期に居住者が建物の屋上階でくつろぐことが難しいという問題点があった。
【０００６】
本発明は、このような点を解決することを課題とするものであり、その目的は、雨天時や日差しが強い時期でも居住者が屋上階でくつろぐことができる、屋上階の利用有効性を高めた建物を提供することにある。
【課題を解決するための手段】
【０００７】
本発明の建物は、屋上階を備えた建物であって、前記屋上階に設けられた外部歩行領域と、前記屋上階に設けられ、前記外部歩行領域への出入り口を備えたペントハウスと、前記ペントハウスの前記出入り口の上方部分に設けられ、該ペントハウスから外方に向けて突出して前記外部歩行領域を覆う固定式日除けと、前記ペントハウスまたは前記固定式日除けに取り付けられ、前記外部歩行領域を覆う使用状態と前記外部歩行領域を覆わない不使用状態とに変更可能な可動式日除けと、を有することを特徴とする。
【０００８】
本発明の建物は、上記構成において、前記ペントハウスが、前記屋上階への昇降手段を内蔵する昇降用空間と、前記昇降用空間と前記出入り口とを連ねる通路と、を有するのが好ましい。
【０００９】
本発明の建物は、上記構成において、前記屋上階の前記外部歩行領域における床上に、前記出入り口に連ねてデッキ部材が敷設され、前記固定式日除けおよび前記可動式日除けが、それぞれ前記デッキ部材の上方に配置されるのが好ましい。
【００１０】
本発明の建物は、上記構成において、前記屋上階の前記外部歩行領域以外の部分に、太陽光利用装置が設置される太陽光利用領域を有するのが好ましい。
【発明の効果】
【００１１】
本発明によれば、雨天時や日差しが強い時期でも居住者が屋上階でくつろぐことができる、屋上階の利用有効性を高めた建物を提供することができる。
【図面の簡単な説明】
【００１２】
【図１】本発明の一実施の形態である建物の正面図である。
【図２】図１に示す建物の側面図である。
【図３】図１に示す建物の、ペントハウスの部分を切り欠いて示した平面図である。
【図４】固定式日除けへの可動式日除けの取付け構造の詳細を示す説明図である。
【図５】図１に示す支柱の構造を示す説明図である。
【図６】可動式日除けの取付け箇所の変形例を示す説明図である。
【図７】本発明の他の実施の形態である建物の、ペントハウスの部分を切り欠いて示した平面図である。
【図８】図７におけるＡ−Ａ線に沿う断面図である。
【図９】図７の可動式日除けの変形例を示す平面図である。
【図１０】図９におけるＢ−Ｂ線に沿う断面図である。
【発明を実施するための形態】
【００１３】
以下、図面を参照して、本発明をより具体的に例示説明する。
【００１４】
図１、図２に示すように、本発明の一実施形態である建物１は、鉄骨造の二階建ての一戸建て住宅に構成されている。この建物１の玄関２は一階部分３に南向きに設けられており、また、詳細は図示しないが一階部分３に寝室等が設けられ、二階部分４にキッチンや居間等が設けられている。
【００１５】
なお、本発明の建物１は、図示するような二階建てに限らず、例えば三階建てなど任意の階数とすることができる。また、建物１は鉄骨造に限らず木造等の他の構造とすることができ、玄関２の向きや間取り等も任意に設定することができる。
【００１６】
建物１の二階部分４の南西角部にはオープンロッジア５が設けられている。オープンロッジア５は、建物１の鉄骨造の躯体（骨組み）を構成する柱梁軸組架構の内部に形成されたベランダであって、その外周縁に沿って屋根の梁と同一高さで連続して設けられた外周梁の内側領域の全面（一部であってもよい）が開放されたものである。建物１は、オープンロッジア５が設けられない構成とすることもできるが、オープンロッジア５を設ける場合にはこれを二階部分４の居間に隣接して設けるのが好ましい。
【００１７】
建物１には、その屋根部分が略平坦に形成されて屋上階６が設けられている。屋上階６には外部歩行領域１０とペントハウス２０とが設けられている。
【００１８】
図３に示すように、外部歩行領域１０は屋上階６の一部を手摺１１によって区画して形成されている。つまり、屋上階６の平坦な床面を有する領域のうち、手摺１１によって区画された内側部分が外部歩行領域１０となっている。居住者は外部歩行領域１０において屋上階６を安全に歩行することができる。
【００１９】
なお、外部歩行領域１０は、手摺１１によって区画形成されるに限らず、例えば壁、柵、植え込み等の他の部材によって区画形成されてもよい。
【００２０】
ペントハウス（塔屋）２０は屋上階６に外部歩行領域１０に面して設けられる。図３に示すように、本実施の形態においては、ペントハウス２０は屋上階６の北側部分に東西方向略中央位置に位置して設けられ、その南向き部分と東向き部分の一部が外部歩行領域１０に面している。
【００２１】
ペントハウス２０の外部歩行領域１０に面する部分（図示する場合では南向き部分）には外部歩行領域１０への出入り口２１が設けられている。出入り口２１は、例えば図３に示すようなヒンジドアで構成することができるが、掃き出し窓や引き戸などのスライド式の開閉体で構成することもできる。
【００２２】
また、図３に示すように、ペントハウス２０の内部には、建物１の二階部分（下階）４と屋上階６との間を行き来するための階段（昇降手段）２２を内蔵する階段室（昇降用空間）２３と、この階段室２３と出入り口２１とを連ねる通路２４とが設けられている。居住者は、階段室２３に内蔵された昇降用の階段２２を通って二階部分４と屋上階６とを行き来することができるとともに、階段室２３から通路２４を通り、出入り口２１から外部歩行領域１０に出入りすることができる。つまり、ペントハウス２０は建物１の二階部分４から屋上階６に設けられた外部歩行領域１０へ出入りするために設けられたものであり、階段室２３、通路２４および出入り口２１のみを備え、居室的な空間を有していない構成となっている。
【００２３】
このようなペントハウス２０は、その水平投影面積が建物１の建築面積の１／８以内で、かつ、その高さが５ｍ以下に形成されるのが好ましい。ペントハウス２０をこのような大きさに形成することにより、建築基準法における建物１の階数に算入させることなくペントハウス２０を屋上階６に設けることができる。
【００２４】
図３に示すように、本実施の形態においては、ペントハウス２０に内蔵される階段２２は二階部分４と屋上階６との間で１８０度曲がるＵターン階段に形成されており、図２に示すように、ペントハウス２０の屋根２５は階段２２の傾斜に合わせて南側に対して北側が低くなる傾斜屋根に構成されている。
【００２５】
なお、ペントハウス２０に設けられる階段２２は図示するようなＵターン階段に限らず、例えば二階部分４と屋上階６との間で真っ直ぐに延びる直階段、屋上階６から真っ直ぐに延びるとともに二階部分４との連接部分において９０度曲がる下曲がり階段、二階部分４から真っ直ぐ延びるとともに屋上階６との連接部分において９０度曲がる上曲がり階段など、種々の形態とすることができる。また、階段２２に隣接した部分が二階部分４からの吹き抜けとなるように構成することもできる。
【００２６】
ペントハウス２０の出入り口２１の上方部分には固定式日除け３０が設けられている。この固定式日除け３０は庇とも呼ばれるものであり、ペントハウス２０の出入り口２１の上側における外壁に固定され、そこから外方に向けて突出して外部歩行領域１０のペントハウス２０に対して南側の少なくとも一部を覆っている。この固定式日除け３０は、日除けとしてだけでなく雨除けとしても機能するものとすることができる。
【００２７】
このように、本発明の建物１では、ペントハウス２０の出入り口２１の上方部分に固定式日除け３０を設けるようにしたので、ペントハウス２０の出入り口２１から出た外部歩行領域１０に雨や日差しが遮られる領域つまりくつろぎ空間を形成することができる。したがって、雨天時や日差しが強い時期でも、居住者は固定式日除け３０により雨ないし日差しが遮られる領域において屋上階６でくつろぐことができる。よって、この建物１の屋上階６を、天候に拘わらずより有効に活用することができる。
【００２８】
また、固定式日除け３０には可動式日除け３１が取り付けられている。図示する場合では、可動式日除け３１は長方形状のタープで構成されている。可動式日除け３１は、その長手方向の一辺側において固定式日除け３０の先端に取り付けられるとともに、長手方向の他辺側において手摺１１に隣接して設けられた一対の支柱３２に取り付けられて外部歩行領域１０の一部を覆っている。つまり、可動式日除け３１は、固定式日除け３０と一対の支柱３２とにより支持されて固定式日除け３０に連なるように外部歩行領域１０の上方に張られ、固定式日除け３０とともに当該外部歩行領域１０の一部を覆っている。図示する場合では、一対の支柱３２は建物１の南面に沿って延びる手摺１１の近傍に設置され、可動式日除け３１は固定式日除け３０とともに外部歩行領域１０のペントハウス２０に対して南側の領域を覆っている。
【００２９】
なお、可動式日除け３１の形状は長方形状に限らず、種々の形状とすることができる。また、可動式日除け３１の他辺側が取り付けられる支柱３２は２本に限らず、可動式日除け３１を広げた形状に支持することができれば、可動式日除け３１の形状等に合わせて１本ないし３本以上設けることもできる。さらに、可動式日除け３１は、防水機能ないし撥水機能を有するものとすることもできる。これにより、可動式日除け３１の雨除けとしての機能を高めることができる。
【００３０】
可動式日除け３１は、図１〜３に示す外部歩行領域１０を覆う使用状態から、外部歩行領域１０を覆わない不使用状態に状態を変更することができる。
【００３１】
可動式日除け３１を使用状態と不使用状態とに変更可能とするために、本実施の形態においては、図４に示すように、可動式日除け３１を、その長手方向の一辺側に設けられた係止フック３３を固定式日除け３０の先端に設けられた取付け用フック３４に着脱自在に係合させて固定式日除け３０に留め付けるとともに、図５に示すように、その長手方向の他辺側に設けられた係止フック３５を支柱３２に設けられた取付け用フック３６に着脱自在に係合させることで支柱３２に留め付けるようにしている。
【００３２】
可動式日除け３１と固定式日除け３０との留め付けは、その辺に沿って間隔を空けて並べて設けられる複数の係止フック３３および取付け用フック３４を用いて複数箇所で行うことができる。また、取付け用フック３４は、アンカー部材３７を介して建物１の梁材に接続された構成とするのが好ましい。アンカー部材３７を介して取付け用フック３４を建物１の梁材に接続することにより、外壁がＡＣＬパネル（高温高圧蒸気養生された軽量気泡コンクリート）で形成されている場合であっても、取付け用フック３４により可動式日除け３１を確実に支持することができる。
【００３３】
このような構成により、係止フック３３、３５を取付け用フック３４、３６から取り外すことで、可動式日除け３１を固定式日除け３０や支柱３２から取り外された不使用状態とすることができる。この場合、例えば可動式日除け３１の長手方向の一辺側における係止フック３３を固定式日除け３０の取付け用フック３４から取り外し、可動式日除け３１を丸めて支柱３２に保持させておくことで不使用状態とすることができる。また、可動式日除け３１の長手方向の他辺側における係止フック３５を支柱３２の取付け用フック３６から取り外し、可動式日除け３１を丸めて固定式日除け３０に保持させておくことで不使用状態とすることもできる。さらに、可動式日除け３１の長手方向の両側の係止フック３３、３５をそれぞれ取付け用フック３４、３６から取り外し、取り外された可動式日除け３１を畳む等して他の場所に保管しておくことで不使用状態とすることもできる。
【００３４】
なお、可動式日除け３１は、係止フック３３、３５を備えることなく、例えば紐等を用いて取付け用フック３４、３６に留め付ける構成とすることもできる。
【００３５】
上記のように、本発明の建物１では、ペントハウス２０の出入り口２１の上方部分に設けられる固定式日除け３０に加えて、使用状態と不使用状態とに変更可能な可動式日除け３１を設けるようにしたので、外部歩行領域１０の日除けにより覆われる範囲を適宜拡張することができる。したがって、雨天時や日差しが強い時期でも、居住者は固定用日除け３０と可動式日除け３１とにより雨ないし日差しを遮る領域を所望の広さに適宜変更して屋上階６でくつろぐことができる。
【００３６】
可動式日除け３１の長手方向の一辺側は、固定式日除け３０に替えてペントハウス２０の外壁に取り付ける（留め付ける）こともできる。つまり、図６に示すように、ペントハウス２０の外壁に取付け用フック３４を設け、この取付け用フック３４に可動式日除け３１の長手方向の一辺に設けられた係止フック３３を着脱自在に取り付ける構成とすることもできる。この場合、可動式日除け３１は固定式日除け３０の下側に重ねて配置されることになる。したがって、可動式日除け３１をペントハウス２０の外壁側よりも支柱３２の側が低くなるように傾斜させておけば、雨天時において固定式日除け３０で受けた雨を、固定式日除け３０と可動式日除け３１との間から外部歩行領域１０に垂れ落ちさせることなく可動式日除け３１の下端側にまで案内して外部に排出させることができる。
【００３７】
可動式日除け３１の長手方向の他辺側は、支柱３２に替えて、例えば手摺１１や建物１のペントハウス２０以外の壁などの他の部材ないし位置に取り付ける（留め付ける）こともできる。この場合、手摺１１等の他の部材等に取付け用フック３６が設けられ、この取付け用フック３６に可動式日除け３１の長手方向の他辺に設けられた係止フック３５が着脱自在に取り付けられることになる。
【００３８】
なお、本実施の形態では、固定式日除け３０と可動式日除け３１とにより外部歩行領域１０の一部のみを覆うようにしているが、これに限らず、固定式日除け３０と可動式日除け３１とにより外部歩行領域１０の全体を覆うように構成してもよい。この場合、１つの可動式日除け３１だけでなく、複数の可動式日除け３１を固定式日除け３０ないしペントハウス２０の外壁に取り付けた構成とすることができる。また、可動式日除け３１を、ペントハウス２０の図中右側（西側）の外壁に取り付けて外部歩行領域１０のペントハウス２０に対して右側部分を覆うように構成するなど、可動式日除け３１の配置も任意に設定することができる。
【００３９】
図１〜図３に示すように、屋上階６には、外部歩行領域１０とは別の領域として太陽光利用領域４０を設けることができる。図示する場合では、屋上階６の北西角部分にペントハウス２０に隣接して太陽光利用領域４０が設けられている。この太陽光利用領域４０には、例えば、太陽熱温水器や太陽電池（ソーラーパネル）等の太陽光を利用可能なエネルギーに変換する太陽光利用装置４１を設置することができる。図示する場合では、太陽光利用装置４１として、架台４２によって南向きに傾斜配置された太陽熱温水器が設けられている。このような太陽光利用領域４０は、終日に亘って、ペントハウス２０により太陽光が遮られない領域に形成されるのが好ましい。
【００４０】
屋上階６に太陽光利用領域４０を設けた場合では、その時間帯や季節によって、固定式日除け３０や可動式日除け３１によって太陽光利用装置４１に向けた太陽光が遮られるおそれがある。しかしながら、本発明の建物１では、可動式日除け３１を使用状態から適宜不使用状態とすることにより、太陽光利用装置４１が日除け３０、３１から受ける影の影響を抑制することができる。したがって、固定式日除け３０と可動式日除け３１とにより屋上階６にくつろぎ空間を形成しつつ、屋上階６に配置された太陽光利用装置４１からより効果的にエネルギーを取得することができる。
【００４１】
なお、図示する場合では、太陽光利用装置４１を外部歩行領域１０とは別の領域として形成された太陽光利用領域４０にのみ設けるようにしているが、これに限らず、例えばペントハウス２０の屋根２５の上面や外壁面、固定式日除け３０の上面などに配置することもできる。
【００４２】
可動式日除け３１を支持する一対の支柱３２は、それぞれ建物１の躯体に固定された構成とすることができる。以下に、支柱３２の建物１の躯体への固定構造について説明する。図５に示すように、建物１の躯体５０は鉄骨造となっており、この躯体５０を構成する一対の互いに直交するＨ型鋼製の梁材５１、５２の間には鋼材製のＬ字形状の設置部材５３が固定されている。設置部材５３の角部には上方に向けて突出する円柱状の脚部材５４が固定されており、この脚部材５４の上端に設けられた円板状の支持台５５の上面にはアングル材５６が固定されている。アングル材５６は屋上階６の床面から上方に突出しており、支柱３２はその下端において支持台５５に支持されるとともにアングル材５６に沿って配置され、複数本のＬ字ボルト５７を用いてアングル材５６に固定されている。なお、符号５８は、脚部材５４に梁材５１、５２の上フランジと同一高さで設けられて梁材５１、５２とともに屋上階６の床材（例えばＡＬＣパネル）を支持する支持プレートである。
【００４３】
このように、支柱３２は、屋上階６の床上に配置されて床に支持されるのではなく、建物１の躯体５０に固定されて躯体５０に直接支持される構成とすることができる。なお、支柱３２は、設置部材５３や脚部材５４などを用いることなく、建物１の躯体５０に溶接等によって直接固定する構成とすることもできる。
【００４４】
図７、図８に変形例として示すように、ペントハウス２０は階段２２を内蔵する階段室２３に加えてエレベータ（昇降手段）６０を内蔵するエレベータ室（昇降用空間）６１を備えた構成とすることもできる。図示する場合では、階段室２３とエレベータ室６１とがペントハウス２０の内部に並列に配置され、これらを出入り口２１に連ねる通路２４が横長に設けられている。この場合においても、ペントハウス２０は建物１の二階部分４から屋上階６に設けられた外部歩行領域１０へ出入りするための構成である階段室２３、エレベータ室６１、通路２４および出入り口２１のみを備え、居室的な空間を有さない構成となっている。
【００４５】
図７、図８に示す変形例では、ペントハウス２０の屋根２５はエレベータ室６１が設けられることから平坦に形成されており、この屋根２５と一体に固定式日除け３０が設けられている。このように、固定式日除け３０は出入り口２１の上方部分においてペントハウス２０の外壁から突出した構成であればペントハウス２０の屋根２５と一体に形成された構成とすることもできる。
【００４６】
また、図７、図８に示すように、屋上階６の外部歩行領域１０の床上に、出入り口２１に連ねてデッキ部材６２を布設し、固定式日除け３０と可動式日除け３１を、それぞれデッキ部材６２の上方に配置した構成とすることもできる。このように、外部歩行領域１０に出入り口２１に連ねてデッキ部材６２を布設し、このデッキ部材６２の上方に固定式日除け３０と可動式日除け３１を設けることにより、居住者は、外履きに履き替えることなくペントハウス２０の出入り口２１から外部歩行領域１０に出入りすることができるとともに雨天時や日差しが強い時期でも当該デッキ部材６２上でくつろぐことができる。
【００４７】
なお、デッキ部材６２は外部歩行領域１０の出入り口２１に連ねられていれば、図７に示すように外部歩行領域１０における床上の全面に布設してもよく、または当該床面の一部のみに布設してもよい。なお、デッキ部材６２としてはウッドデッキや樹脂製デッキなどの種々のものを用いることができる。
【００４８】
可動式日除け３１は、例えば図９、図１０に示すようなオーニングで構成することもできる。この場合、固定式日除け３０の先端には一対の駆動アーム７０を備えた基部７１が取り付けられ、布張りのシート状に形成された可動式日除け３１が駆動アーム７０に接続されている。そして、駆動アーム７０が基部７１から突出する方向の伸びることにより可動式日除け３１は基部７１からせり出して外部歩行領域１０を覆う使用状態（図９、図１０に示す状態）とされる。一方、駆動アーム７０が折り畳まれて基部７１に格納されると、可動式日除け３１は基部７１の側に畳み込まれて不使用状態とされる。駆動アーム７０は電動モータ等の駆動源により駆動されて自動的に作動する構成とすることができるが、手動で駆動されて構成とすることもできる。なお、オーニングは、可動式日除け３１が一対の駆動アーム７０によって基部７１の側に畳み込まれる構成に限らず、回動軸等によって基部７１の側に巻き取られる構成とすることもできる。
【００４９】
本発明は前記実施の形態に限定されるものではなく、その要旨を逸脱しない範囲で種々変更可能であることはいうまでもない。
【００５０】
例えば、固定式日除け３０や支柱３２に対する可動式日除け３１の取付け構造は、取付け用フック３４、３６に係止フック３３、３５を着脱自在に取り付ける構成に限らず、可動式日除け３１を着脱自在に取り付けることができる構成であれば種々の構成を採用することができる。
【００５１】
また、ペントハウス２０を、エレベータ６０を内蔵するエレベータ室６１が設けられるが階段２２を内蔵する階段室２３が設けられない構成とすることもできる。
【産業上の利用可能性】
【００５２】
本発明は、屋上階を備えた建物を建築する際に利用することができる。
【符号の説明】
【００５３】
１  建物
２  玄関
３  一階部分
４  二階部分
５  オープンロッジア
６  屋上階
１０  外部歩行領域
１１  手摺
２０  ペントハウス
２１  出入り口
２２  階段（昇降手段）
２３  階段室（昇降用空間）
２４  通路
２５  屋根
３０  固定式日除け
３１  可動式日除け
３２  支柱
３３  係止フック
３４  取付け用フック
３５  係止フック
３６  取付け用フック
３７  アンカー部材
４０  太陽光利用領域
４１  太陽光利用装置
４２  架台
５０  躯体
５１  梁材
５２  梁材
５３  設置部材
５４  脚部材
５５  支持台
５６  アングル材
５７  Ｌ字ボルト
５８  支持プレート
６０  エレベータ（昇降手段）
６１  エレベータ室（昇降用空間）
６２  デッキ部材
７０  駆動アーム
７１  基部
【図１】
2016169487.tif 000003
【図２】
2016169487.tif 000004
【図３】
2016169487.tif 000005
【図４】
2016169487.tif 000006
【図５】
2016169487.tif 000007
【図６】
2016169487.tif 000008
【図７】
2016169487.tif 000009
【図８】
2016169487.tif 000010
【図９】
2016169487.tif 000011
【図１０】
2016169487.tif 000012